(57)【特許請求の範囲】
【請求項１】
自動販売機の本体と、当該本体に開閉自在に支持され本体前面を開閉する扉と、前記扉の開放端面から前記本体側に延出して設けられ、扉を閉じたときに扉の開放端部と本体前面との隙間を覆う扉側カバー部材と、前記本体の開放側の側面から斜め後方に延出して設けられ、扉を閉じたときに前記扉側カバー部材と当接して前記扉側カバー部材と扉の側面との隙間を塞ぐ本体側カバー部材とを備え、前記本体側カバー部材は弾性部材であって前記扉を閉じたときに前記扉側カバー部材と当接して弾性変形することを特徴とする自動販売機の扉こじ開け防止装置。
【請求項２】
自動販売機の本体と、当該本体に開閉自在に支持され本体前面を開閉する扉と、前記扉の開放端部から前記本体側へ延出して設けられ、扉を閉じたときに扉の開放端部と本体前面との隙間を覆う扉側カバー部材と、前記本体の開放側の側面に設けられ、扉を閉じたときに前記扉側カバー部材の端面に沿って近接する端面を備えた本体側カバー部材とを備え、前記扉側カバー部材の端面は波側形状に形成され、前記本体側カバー部材の端面は、当該扉側カバー部材の端面と沿うような波側形状に形成されていることを特徴とする自動販売機の扉こじ開け防止装置。
【発明の詳細な説明】
【０００１】
【発明の属する技術分野】
本発明は、悪戯によってなされる自動販売機の扉のこじ開けを防止するための装置に関する。
【０００２】
【従来の技術】
従来よりある自動販売機は、図１および図２に示す本発明の扉こじ開け装置を備えた自動販売機と同様に、販売商品等を収納する本体３と、ヒンジ４にて回動自在に支持され、本体３の前面を開閉する扉２とが設けられ、扉２には透明パネル２１で覆われた展示室２０と、透明パネル２１の前面に取り付けられ購入商品を選択指示するための複数の選択ボタン２３と、選択ボタンに対応して展示室内２０に配設されたサンプル商品２２と、扉２を施錠及び開閉するためのロックレバー２４と、商品を購入する際に金銭を投入する金銭投入口２５と、お釣り等を取り出すための返却口２６と、購入商品を取り出すための商品取出口２７等を備えてなるものである。
【０００３】
図７は従来の自動販売機における図２のＡ部平面断面図である。従来、扉２の開放端部２ａと本体３の前端面３ａとが合わさる部分に生じる隙間Ｓ１にバール等が差し込まれて、図示しないロック機構によってロックされた扉２が強引にこじ開けられることを防止するため、扉２の開放端部２ａの背面に板金部材より形成されたカバー部材５をねじ５０によって取り付け、本体３側に延出するように折り曲げ形成されたフランジ５ａによって、扉２を閉じたときに隙間Ｓ１が覆われるように構成されていた。
【０００４】
【発明が解決しようとする課題】
しかしながら、扉２の開閉の際にフランジ５ａが本体３に接触しないようにするクリアランスが設計上必要であるため、扉２を閉じた状態で、フランジ５ａと本体側面３ｂとの間に隙間Ｓ２が生じてしまっており、悪戯目的にバール等をこの隙間Ｓ２に差し込まれてこじられた場合に、フランジ５ａが折れ曲がりバール等が隙間Ｓ１まで到達してしまうという不具合があり、バール等によるこじ開けを完全に防ぐことができなかった。こうした問題に対して、特開平１１−５３６３１号公報では、隙間Ｓ１内に邪魔板を設けてバール等が隙間Ｓ１の奥側まで入り込まないようにした構成が開示されている。しかしながら、こうした構成では、外観上は従来の構成と相違ないため、悪戯意識を防ぐことができず、従来同様にこじ開けを試みられる可能性を有しており、また、隙間Ｓ１にバール等の先端を差し込まれてしまうのは防ぎきれないため、バール等によって扉２や本体３が大きく破損されてしまうという問題を有している。
【０００５】
本発明は、こうした課題を解決するためになされたものであり、扉のこじ開けを確実に防止するとともに、悪戯意識を低減させることによって扉のこじ開けを未然に防ぐことのできる自動販売機の扉こじ開け防止装置を提供するものである。
【０００６】
【課題を解決するための手段】
請求項１の発明に係る扉こじ開け防止装置は、自動販売機の本体と、当該本体に開閉自在に支持され本体前面を開閉する扉と、前記扉の開放端面から前記本体側に延出して設けられ、扉を閉じたときに扉の開放端部と本体前面との隙間を覆う扉側カバー部材と、前記本体の開放側の側面から斜め後方に延出して設けられ、扉を閉じたときに前記扉側カバー部材と当接して前記扉側カバー部材と扉の側面との隙間を塞ぐ本体側カバー部材とを備え、前記本体側カバー部材は弾性部材であって前記扉を閉じたときに前記扉側カバー部材と当接して弾性変形することを特徴とするものである。
【０００７】
この構成によれば、斜め後方に延出した本体側カバー部材によって扉側カバー部材と扉の側面との隙間が塞がれるので、隙間にバール等が差し込まれることを確実に防止できるとともに、バール等で扉をこじ開けようとする悪戯意識を低減させることができる。
【０００８】
また、請求項１の構成によれば、弾性変形した本体側カバー部材によって扉側カバー部材と扉の側面との隙間が塞がれるので、隙間が確実に塞がれ、こじ開け防止に更に有効である。
【０００９】
請求項２の発明に係る扉こじ開け防止装置は、自動販売機の本体と、当該本体に開閉自在に支持され本体前面を開閉する扉と、前記扉の開放端部から前記本体側へ延出して設けられ、扉を閉じたときに扉の開放端部と本体前面との隙間を覆う扉側カバー部材と、前記本体の開放側の側面に設けられ、扉を閉じたときに前記扉側カバー部材の端面に沿って近接する端面を備えた本体側カバー部材とを備え、前記扉側カバー部材の端面は波側形状に形成され、前記本体側カバー部材の端面は、当該扉側カバー部材の端面と沿うような波側形状に形成されていることを特徴とするものである。
【００１０】
この構成によれば、扉を閉じたときに扉側カバー部材の端面に沿って本体側カバー部材の端面が近接するので、バール等が差し込みが困難となる。
【００１１】
また、請求項２の構成によれば、扉を閉じたときに扉側カバー部材の波形形状の端面と本体側カバー部材の波形形状の端面とがはまり合うような状態で近接するので、バール等の差し込みがよりいっそう困難になる。
【００１２】
【発明の実施の形態】
以下、図面を参照しながら、本発明の実施形態を詳細に説明する。
【００１３】
第１の実施の形態
図３は、本発明第１の実施の形態の扉こじ開け防止装置を備えた自動販売機における図２のＡ部平面断面図であり、図４は扉を僅かに開いた状態の平面断面図である。なお、従来の構成と同じものについては、従来の技術にて説明した符号と同一符号を付している。
【００１４】
図３に示すように、本発明第１の実施の形態の扉こじ開け防止装置は、扉２側に扉側カバー部材５３を取り付け、本体３側に本体側カバー部材６３を取付けて構成されたものであり、この扉側カバー部材５３は、その取付部５３ｂを扉２の開放端部２ａの背面に当接させた状態でねじ５０によってねじ止めされている。そして、この扉側カバー部材５３の取付部５３ｂの右端は扉２の側面２ｂよりも外側へ延出した位置で後方に折り曲げられてカバーフランジ５３ａが形成されている。
【００１５】
本体３側に設けられた本体側カバー部材６３は、本体３の側面３ｂに面接する取付部６３ｂと、この取付部６３ｂの前端から斜め後方に立ち上がるように鋭角に折り曲げられた立上フランジ６３ａとからなりステンレス等の板バネで形成され、立上フランジ６３ａが左右方向に弾性変形可能に構成されている。そして、この本体側カバー部材６３は、取付部６３ｂに取り付け穴６０ｃを備え、本体３の内側からねじ６０によってねじ止めされるようになっている。このとき、本体側カバー部材６３は本体３内側に設けられた板厚１．２ｍｍ程度の補強板金３１と共締め状態でねじ止めされるため頑強に固定される。
【００１６】
こうした構成において、わずかに扉２が開いた図４の状態から扉２を閉じる際には、扉側カバー部材５３のカバーフランジ５３ａの先端部が本体側カバー部材の立上フランジ６３ａに当接し、この立上フランジ６３ａを弾性変形させながら閉じ、図３に示す状態になる。よって、図３の状態では扉側カバー部材５３のカバーフランジ５３ａと本体側カバー部材の立上フランジ６３ａとが密接した状態となっており、カバーフランジ５３ａと本体側面３ｂとの隙間Ｓ２が本体側カバー部材によって塞がれた状態となっている。そして、これら本体側カバー部材６３と扉側カバー部材５３とは自動販売機１の上下方向ほぼ全域に渡って延設されている。
【００１７】
このように、扉２の開放端部２ａと本体３の前端面３ａとで生じる隙間Ｓ１及びカバーフランジ５３ａと本体側面３ｂとの隙間Ｓ２は、本体側カバー部材６３と扉側カバー部材５３によってほぼ塞がれた状態となるので、外見上、扉２のこじ開けが困難な印象を与え、こじ開け等の悪戯意識を押さえ、悪戯を未然に防止することができる。さらに、本体側カバー部材６３は、その弾性力によって扉側カバー部材５３のカバーフランジ５３ａと密接した状態にあり、さらに、本体側カバー部材６３の立上フランジ６３ａは斜め後方に立ち上がっているので、本体側カバー部材６３と扉側カバー部材５３との間にバール等を差し込むことは極めて困難であり、扉のこじ開けを確実に防止できる。
【００１８】
また、バール等が隙間Ｓ１にまで到達しにくいので、扉２や本体３が変形されることが少なく、なおかつ、仮に本体側カバー部材６３や扉側カバー部材５３は変形されても、これらはねじ止めにより着脱可能に構成されているために容易に交換することが可能であり、悪戯による補修費用も非常に少なくなる。
【００１９】
なお、本実施の形態では本体側カバー部材６３が板バネである例を示したが、樹脂素材による弾性部材でも同様に構成できる。また、高い寸法精度で製造可能で有れば、本体側カバー部材６３は弾性部材でなくても、本体側カバー部材６３の立上フランジ６３ａと扉側カバー部材５３のカバーフランジ５３ａとをバールの先端が入らない程度に近接位置させることによって隙間Ｓ２を塞ぐことが可能であり同様の効果が期待できる。
【００２０】
第２の実施の形態
図５は、本発明第２の実施の形態の扉こじ開け防止装置を備えた自動販売機における図２のＡ部平面図であり、図６は本発明第２の実施の形態の扉こじ開け防止装置を備えた自動販売機の要部斜視図である。なお、従来の構成と同じもの或いは第１の実施の形態の構成と同じものについては、同一符号を付している。
【００２１】
図５に示すように、本発明第２の実施の形態の扉こじ開け防止装置は、扉２側に扉側カバー部材５４を取り付け、本体３側に本体側カバー部材６４を取付けて構成されたものであり、この扉側カバー部材５４は、硬質塩ビ等の樹脂素材で一体成形されたものであって、その取付部５４ｂを扉２の側面２ｂに当接させた状態で図示しないねじによってねじ止めされている。この扉側カバー部材５４の取付部５４ｂの後端にはカバー片５４ａが形成されており、扉２の開放端部２ａから本体３側に向かって延出するように形成されている。そして、扉２を閉じたときに、扉２と本体３との隙間Ｓ１を覆うようになっている。そして、このカバー片５４ａの端面５４０は図６に示すように波形に形成されている。
【００２２】
一方、本体側カバー部材６４は、硬質塩ビ等の樹脂素材で一体成形されたものであって、本体３の側面３ｂに取り付けられている。そして、この本体側カバー部材６４は、その取付部６４ｄに図示しない取付け穴を備え、その取付部６４ｂを本体３の側面３ｂに当接させた状態で、本体３の内側から図示しないねじによってねじ止めされるようになっている。そして、取付部６４ｄの表面側は階段形状に形成され、扉を閉じたときに、その段差面６４ｂが扉２側のカバー片５４ａの端面５４０と対向して近接するように配設されており、図６に示すように、この段差面６４ｂもカバー片５４ａの端面５４０の波形形状に沿うような波形形状に成形されている。したがって、扉２を閉じた状態では、図６に示すように扉側カバー部材５４の端面５４０と本体側カバー部材６４の段差面６４ｂとが波形形状同士ではまり合うような状態で近接するようになる。そして、これら本体側カバー部材６４と扉側カバー部材５４とは自動販売機１の上下方向ほぼ全域に渡って延設されている。
【００２３】
このように、扉２の開放端部２ａと本体３の前端面３ａとで生じる隙間Ｓ１は扉側カバー部材５４によって覆われ、なおかつ、扉側カバー部材５４の端面５４０に沿って本体側カバー部材６４の段差面６４ｂが近接するので、隙間Ｓ１へのバール等の差し込みが困難となる。さらに、扉側カバー部材５４の端面５４０と本体側カバー部材６４の段差面６４ｂとは互いにはまり合うような波形形状に形成されているので、仮に、扉側カバー部材５４の端面５４０と本体側カバー部材６４の段差面６４ｂとの隙間Ｓ３にバール等を差し込んでも波形形状によって応力が分散するので扉側カバー部材５４を大きく開けることは困難である。また、波形形状の波の周期を短く形成すれば、バール等の先端部が隙間Ｓ３に入りにくくなるので、よりいっそう悪戯を防ぐことができる。
【００２４】
なお、本実施の形態では、扉側カバー部材５４および本体側カバー部材６４が樹脂素材にて形成された例を示したが、もちろん板金部品でも形成することができる。また、本実施の形態では、扉側カバー部材５４の端面５４０と本体側カバー部材６４の段差面６４ｂとは互いにはまり合うような波形形状に形成した例を示したが、直線的なジグザグ形状や、凸凹形状でも同様の効果が期待できる。
【００２５】
【発明の効果】
本発明によれば、扉の開放端部と本体前面との隙間にバール等が差し込まれることを確実に防止できるとともに、バール等で扉をこじ開けようとする悪戯意識を低減させることができる。
【図面の簡単な説明】
【図１】  本発明の扉こじ開け装置を備えた自動販売機の正面図である。
【図２】  本発明の扉こじ開け装置を備えた自動販売機の平面図である。
【図３】  本発明第１の実施の形態の扉こじ開け装置を備えた自動販売機における図２のＡ部平面断面図である。
【図４】  本発明第１の実施の形態の扉こじ開け装置を備えた自動販売機において扉を僅かに開いた状態を示した図である。
【図５】  本発明第２の実施の形態の扉こじ開け装置を備えた自動販売機における図２のＡ部平面断面図である。
【図６】  本発明第２の実施の形態の扉こじ開け装置を備えた自動販売機における要部の斜視図である。
【図７】  従来の自動販売機における図２のＡ部平面断面図である。
【符号の説明】
１     自動販売機
２     扉
２ｂ   扉側面
３     本体
３ａ   前端面
３ｂ   本体側面
４     ヒンジ
５３   扉側カバー部材
５４   扉側カバー部材
６３   本体側カバー部材
６４   本体側カバー部材
６４ｂ  段差面（端面）
５４０  端面
Ｓ１   隙間
Ｓ２   隙間
【図１】
0003744265.tif 000002
【図２】
0003744265.tif 000003
【図３】
0003744265.tif 000004
【図４】
0003744265.tif 000005
【図５】
0003744265.tif 000006
【図６】
0003744265.tif 000007
【図７】
0003744265.tif 000008